(57)【要約】【課題】  遊技盤のコストダウンやリサイクル性を高めながら、遊技領域の大きさや形状に変化を持たせた弾球遊技機を提供する。【解決手段】  板状部材１２の下縁部に連接する連接部材４５を、遊技規制枠１３の下縁部後側に突設する。板状部材１２の下端面１２ａに切り欠き３０を設ける。遊技領域規制枠１３と板状部材１２とを組み合わせたときに、板状部材１２の下端面１２ａと連接部材４５の上端面４５ａとが当接し、切り欠き３０と上端面４５ａとによってアウト口１７が形成される。【選択図】        図５
2005081097.tif 000002
【特許請求の範囲】
【請求項１】
遊技球を投入する遊技領域が形成された板状部材からなる遊技盤を備えた弾球遊技機において、
前記板状部材の周縁部に連接する連接部材を備え、
前記板状部材と前記連接部材によって、遊技に用いられる構造物を前記遊技領域内に形成することを特徴とする弾球遊技機。
【請求項２】
前記構造物は、前記板状部材に設けられた切り欠きと、前記連接部材の接合部とによって形成される、遊技球が通過する通過口であることを特徴とする請求項１記載の弾球遊技機。
【請求項３】
前記構造物は、前記連接部材に設けられた切り欠きと、前記板状部材の接合部とによって形成される、遊技球が通過する通過口であることを特徴とする請求項１記載の弾球遊技機。
【請求項４】
前記連接部材は前記板状部材に着脱自在であることを特徴とする請求項１〜３のいずれか１つに記載の弾球遊技機。
【請求項５】
前記連接部材は樹脂材を成形したものであることを特徴とする請求項１〜４のいずれか１つに記載の弾球遊技機。
【請求項６】
前記連接部材は、前記板状部材に装着することで前記遊技球の移動範囲を規制して前記遊技領域を形成する遊技領域規制枠と、一体として形成されていることを特徴とする請求項１〜５のいずれか１つに記載の弾球遊技機。
【発明の詳細な説明】
【技術分野】
【０００１】
本発明は、パチンコ店等の遊技場に設置して使用される弾球遊技機に関するものである。
【背景技術】
【０００２】
パチンコ店などの遊技場に設置して使用されるパチンコ機等の弾球遊技機は、遊技球等の遊技媒体が打ち出される遊技領域が形成された遊技盤が、パチンコ機を構成する基体となる本体基部に配設されており、さらに、該遊技領域を視認させる窓部を備えた前面扉（扉部材）が遊技盤の前方において開閉自在に設けられている。また、遊技盤の後面を含む本体基部の内部には遊技に基づいて作動する音声発生装置や画像表示装置、及びこれらを制御する制御回路装置等の作動装置が設けられている。このようなパチンコ機は、遊技場に設置されている状態で、且つ前面扉が閉じられてロック状態となっているときには、何人も本体基部の内部に配設された遊技盤や制御回路装置等には触れることができないようになっている。
【０００３】
多くのパチンコ機における遊技盤は、遊技領域を形成するとともに遊技媒体を誘導するレール、障害釘、風車、及び電動チューリップや入賞チャッカーやアタッカーといった入賞装置等の構造物が、ベニヤ板などの１つの板状部材の面上に配設された構成となっている。また、該板状部材の大きさや外周の形状は異機種間において共通化されており、パチンコ機を製造する際のコストダウンや、パチンコ機のリサイクル性を高めることが図られている。
【発明の開示】
【発明が解決しようとする課題】
【０００４】
しかしながら、板状部材の大きさや外周の形状が異機種間において共通化されているために、該板状部材の面上に遊技領域を形成する構造物を配設する位置などは限られてしまい、したがって、遊技領域の大きさや形状などに変化を持たせることには限界があった。
【０００５】
本発明は、遊技盤のコストダウンやリサイクル性を高めながら、遊技領域の大きさや形状に変化を持たせた弾球遊技機を提供することを目的とする。
【課題を解決するための手段】
【０００６】
本発明の弾球遊技機は、遊技球を投入する遊技領域が形成された板状部材からなる遊技盤を備えた弾球遊技機において、前記板状部材の周縁部に連接する連接部材を備え、前記板状部材と前記連接部材によって、遊技に用いられる構造物を前記遊技領域内に形成することを特徴とするものである。
【０００７】
また、前記構造物は、前記板状部材に設けられた切り欠きと、前記連接部材の接合部とによって形成される、遊技球が通過する通過口であることが好適である。
【０００８】
また、前記構造物は、前記連接部材に設けられた切り欠きと、前記板状部材の接合部とによって形成される、遊技球が通過する通過口であることが好適である。
【０００９】
また、前記連接部材は前記板状部材に着脱自在であることが好適である。
【００１０】
また、前記連接部材は樹脂材を成形したものであることが好適である。
【００１１】
また、前記連接部材は、前記板状部材に装着することで前記遊技球の移動範囲を規制して前記遊技領域を形成する遊技領域規制枠と、一体として形成されていることが好適である。
【発明の効果】
【００１２】
本発明の弾球遊技機は、板状部材の周縁部に連接する連接部材を備え、板状部材と連接部材によって、遊技に用いられる構造物を遊技領域内に形成するので、板状部材の形状に変化を与えずに異機種間において共通化することによって遊技盤のコストダウンやリサイクル性を高めながら、板状部材の周縁部まで遊技領域を広げることができ、したがって、遊技領域の大きさや形状に変化を持たせた弾球遊技機を提供することができる。遊技領域を大きくすることで遊技球が遊技領域内に滞在する時間（遊技時間) を延ばすことができ、また、遊技領域内の構造物のレイアウトの自由度を高めることができる。
【００１３】
また、構造物が、板状部材に設けられた切り欠きと、連接部材の接合部とによって形成される、遊技球が通過する通過口とすることによって、通過口を通過した遊技球を誘導する誘導路を連接部材を用いて形成することができる。
【００１４】
また、構造物が、連接部材に設けられた切り欠きと、板状部材の接合部とによって形成される、遊技球が通過する通過口とすることによって、通過口を通過した遊技球を誘導する誘導路を連接部材を用いて形成することができる。
【００１５】
また、連接部材は板状部材に着脱自在とすることによって、遊技盤の組み立て及び分解が簡便となり、遊技盤のコストダウンやリサイクル性を高めることができる。
【００１６】
また、連接部材は樹脂材を成形したものとすることによって、遊技に用いる構造物の機能に多様な変化をつけることができる。
【００１７】
また、連接部材は、板状部材に装着することで遊技球の移動範囲を規制して遊技領域を形成する遊技領域規制枠と、一体として形成することによって、遊技盤の組み立て及び分解が簡便となり、遊技盤のコストダウンやリサイクル性を高めることができる。
【発明を実施するための最良の形態】
【００１８】
図１に本発明を用いたパチンコ機（弾球遊技機）２の外観を示す。パチンコ機２は、基体となる本体基部３に、遊技の際に遊技媒体である遊技球が流下する遊技領域４ａ（図２に図示）が設けられた遊技盤４が配設された構成となっている。遊技盤４に設けられた遊技領域４ａの前方には、遊技者に遊技領域４ａを視認させる窓部５ａを有する前面扉５が回動自在に設けられ、窓部５ａは前面扉５の後側に設けられた透明板であるガラス板６（図２に図示）によって塞がれている。この前面扉５は、遊技領域４ａの前方に位置する閉じ位置（図１参照）と、前記遊技領域４ａを露呈する開き位置（図２参照）との間で回動する。この前面扉５を閉じ位置に回動させると、図示しないロック機構により前面扉５が閉じ位置に保持される。なお、前面扉５が閉じ位置にロックされて保持された場合には、遊技者や遊技場の作業者は、ガラス板６を介して遊技領域４ａや、遊技領域４ａ上を流下する遊技球を視認することはできるが、本体基部３の内部に設けられた部品または装置には接触できないようになっている。
【００１９】
本体基部３は、パチンコ機２の基体となる部品であるとともに、パチンコ店等の遊技場に設置したまま据え置きとし得る部品である。この本体基部３には、図示はしないが、例えば、遊技球の払い出しを行う払い出し装置や、遊技中の演出を行うランプやスピーカを含む発光装置や音声装置等のパチンコ機２の遊技性に基づく動作を行う装置及び制御回路装置が組み込まれる。また、本体基部３には、遊技球の供給や、後述する遊技領域４ａに設けられた入賞口に入賞した場合に払い出される遊技球を受ける受け皿７が設けられ、この受け皿７の下方には、遊技球の打ち出し強さを調節する回動式の操作ハンドル８が設けられている。なお、遊技者が受け皿７に遊技球を供給すると、受け皿７の内部に設けられた通路７ａによって遊技球は図示を省略した発射装置へと誘導される。そして、操作ハンドル８を回動操作することによって発射装置が作動し、遊技領域４ａの上方に向けて遊技球が打ち出される。なお、本体基部３は、遊技場の設置箇所に固定するための枠部材を含む構成としても良いし、含まない構成としても良いものとする。
【００２０】
図２に示すように、遊技盤４を含む遊技盤ユニット９を保持する保持部１０ａを備えた保持枠（保持部材）１０は、本体基部３の組み込み空間部３ａに対して着脱自在となっており、遊技盤ユニット９は、保持部１０ａに対して着脱自在となっている。また、前面扉５は着脱自在に軸支されるように保持枠１０に組み付けられており、保持枠１０とともに本体基部３から分離することができるようになっている。
【００２１】
遊技盤ユニット９は、遊技盤４と、遊技領域４ａが設けられた遊技盤４の前面とは反対側となる背面に一体となるように取り付けられ、遊技領域４ａに打ち出された遊技球を回収する通路を備えた支持部材１１と、支持部材１１によって支持された制御回路装置（図示省略）などから構成されている。なお、遊技盤ユニット９を保持部１０ａに着脱自在に取り付ける方法については図示はしないが、例えばねじ止め、または嵌合装置に基づく嵌着などによって保持部１０ａに取り付けるなど、パチンコ機２の構成等を考慮して、適宜の方法にて遊技盤ユニット９を保持部１０ａに保持可能なように取り付けるようにすれば良い。
【００２２】
遊技盤４は、ベニヤ板からなる板状部材１２、後述する連接部材４５（図３に図示）、及び板状部材１２の前面上に配設された遊技に用いられる構造物から構成されている。板状部材１２の前面には、板状部材１２の面上において遊技球の移動範囲を規制する遊技領域規制枠１３、及び、始動入賞口１４、通常入賞口１５、アタッカ１６等の所定入賞口、及び、遊技領域４ａに打ち出された後いずれの入賞口にも入らなかった遊技球を遊技盤４の後側にて回収するために通過させるアウト口（通過口）１７、及び、遊技領域４ａの略中央にて遊技球を一時的に滞在させるステージを有するセンター役物１８、及び、所定入賞に基づいて行う当否抽選の結果をセンター役物１８の略中央に露呈される表示部で表示する図柄表示装置１９、及び、図示を省略した釘や風車と呼ばれるものが、それぞれ構造物２０として配設されている。
【００２３】
図３及び図４に、板状部材１２及び遊技領域規制枠１３の外観を示す。図３はパチンコ機２における前側からの外観を示し、図４はパチンコ機２における後側からの外観を示している。
【００２４】
板状部材１２は略矩形状の板であって、所定位置に開口部２１〜２７が設けられており、これら開口部２１〜２７は、板状部材１２上に構造物を配設する際の位置決めや配線、また、入賞口に入賞した遊技球を遊技盤４の後側にて回収するように通過させるために用いられる。また、板状部材１２の下端面１２ａの略中央には、アウト口１７の一部となる切り欠き３０が設けられている。また、板状部材１２の上下４箇所には後述する係止機構３３を挿通させるための孔３５が設けられている。
【００２５】
遊技領域規制枠１３は、開口部４０の周囲に設けられた外レール４１及び内レール４２と、遊技領域規制枠１３の後側に突設された連接部材４５及び規制部材４６とが一体となった枠状のユニットとして形成されている。開口部４０の周囲に設けられた外レール４１及び内レール４２と、連接部材４５及び規制部材４６とは、例えばポリアセタール等の摺動性、耐摩耗性に優れた樹脂材から成形されている。また、外レール４１と内レール４２との間は、打ち出された遊技球を遊技領域４ａに向けて誘導するためのガイド部４３となる。遊技領域４ａは、外レール４１及び内レール４２によって囲まれた領域であり、遊技における遊技球の移動範囲は、板状部材１２上の外レール４１及び内レール４２によって囲まれた領域内に規制される。また、外レール４１及び内レール４２によって囲まれた領域の下方には、アウト口１７の前面を装飾するアウト口装飾部４４が成形されている。
【００２６】
遊技領域規制枠１３の下縁部の後側には、板状部材１２の下縁部と連接する略直方体の連接部材４５が後側に向けて突設されている。連接部材４５は、連接部材４５の上端面（接合部）４５ａと板状部材１２の下端面１２ａとが当接するように板状部材１２に連接するので、切り欠き３０と連接部材４５の上端面４５ａとによってアウト口１７が、アウト口装飾部４４の後側に形成される。連接部材４５は板状部材１２の厚みよりも奥行きが長く、上端面４５ａであってアウト口１７の後ろ側となる部位には誘導路４５ｂ（図５に図示）が形成されている。アウト口１７を通過した遊技球は、誘導路４５ｂ上を転動して所定位置に導かれる。また、遊技領域規制枠１３の左縁部の後側には、板状部材１２と組み合わされたときに、板状部材１２の左端面に当接して板状部材１２と遊技領域規制枠１３とを左右方向において適正な位置関係となるよう規制する規制部材４６が後側に向けて突設されている。また、遊技領域規制枠１３の後側の上下２箇所ずつ計４箇所に、支持部材１１に設けられた４つの被係止部（図示せず）に係止する係止機構３３が突設されている。なお、支持部材１１に設けられた被係止部及び係止機構３３は、遊技領域規制枠１３と支持部材１１とを連結させて保持するものであれば良く、それぞれ適宜の態様とすれば良い。
【００２７】
支持部材１１及び板状部材１２及び遊技領域規制枠１３及び所定の制御回路装置を組み合わせて遊技盤ユニット９とする方法を説明する。先ず板状部材１２を遊技領域規制枠１３の後側に突設した連接部材４５及び規制部材４６のそれぞれと当接するように配設する。このとき、遊技領域規制枠１３の係止機構３３は孔３５のそれぞれに挿通される。そして、遊技領域規制枠１３の係止機構３３を支持部材１１の被係止部に係止させることによって支持部材１１と遊技領域規制枠１３とを連結して保持する。このとき、板状部材１２は支持部材１１と遊技領域規制枠１３とに狭持される。そして、支持部材１１に所定の制御回路装置を取り付けて遊技盤ユニット９とする。
【００２８】
上記のように構成されたパチンコ機２の作用について図５を用いて説明する。図５は、図３におけるＡ−Ａ面の概略断面図であって、板状部材１２と遊技領域規制枠１３とを組み合わせた状態を示している。板状部材１２と遊技領域規制枠１３とを組み合わせると、遊技領域規制枠１３の下縁部後側に突設された連接部材４５の上端面４５ａが、板状部材１２の切り欠き３０を含む下端面１２ａに当接する。このとき、切り欠き３０と上端面４５ａとによってアウト口１７が形成される。そして、アウト口１７が形成された板状部材１２の下縁部までが遊技領域４ａとなる。このように、連接部材４５を板状部材１２の周縁部に連接させて、遊技に用いる構造物を連接部材４５と板状部材１２とによって形成することで、板状部材１２の下縁部まで遊技領域４ａを広げることができる。即ち板状部材１２の面上のみを用いて遊技領域を形成する場合よりも大きな遊技領域４ａが形成される。
【００２９】
上記実施形態では、板状部材１２に設けた切り欠き３０と連接部材４５の上端面４５ａとによってアウト口１７を形成したが、板状部材に切り欠きを設けずに連接部材に切り欠きを設けて、板状部材の下端面と連接部材に設けた切り欠きとによってアウト口を形成しても良い。この場合の実施形態を図６に示す。
【００３０】
図６に示すように、遊技領域規制枠１３の下縁部後側に突設された連接部材５０は、板状部材５１の下端面（接合部）５１ａと連接部材５０の上端面５０ａとが当接するように、板状部材５１に連接する。連接部材５０の上端面５０ａの中央部から下方に矩形状の切り欠き５２が設けられており、切り欠き５２と板状部材５１の下端面５１ａとによってアウト口５３が、アウト口装飾部４４の後ろ側に形成される。連接部材５０は板状部材５１の厚みよりも奥行きが長く、切り欠き５２の、アウト口５３の後ろ側となる部位には誘導路５０ｂが形成されている。アウト口５３を通過した遊技球は、誘導路５０ｂ上を転動して所定位置に導かれる。
【００３１】
上記のように構成されたパチンコ機２の作用について説明する。板状部材５１と遊技領域規制枠１３とを組み合わせると、遊技領域規制枠１３の下縁部後側に突設された連接部材５０の切り欠き５２を備える上端面５０ａが、板状部材５１の下端面５１ａに当接する。このとき、切り欠き５２と下端面５１ａとによってアウト口５３が形成される。そして、アウト口５３が形成された板状部材５１の下縁部まで遊技領域４ａとして用いることができる。このように、連接部材５０を板状部材５１の周縁部に連接させて、遊技に用いる構造物を連接部材５０と板状部材５１とによって形成することで、板状部材５１の下縁部を含んだ遊技領域規制枠１３の内レール４２下部までを遊技領域４ａとして広げることができる。即ち板状部材５１の面上のみを用いて遊技領域を形成する場合よりも大きな遊技領域４ａが形成される。
【００３２】
なお、上記実施形態では、連接部材４５，５０は板状部材１２，５１それぞれの下縁部に連接する略直方体であったが、連接部材が板状部材と連接する位置は下縁部に限られず、板状部材の外側に遊技領域を延展させて形成することができれば、板状部材の上下左右の縁部のいずれであっても良く、また、連接部材の形状も適宜の形状として良い。
【００３３】
上記実施形態では、遊技領域４ａに打ち出された遊技球が通過する通過口として、板状部材１２に設けた切り欠き３０と連接部材４５の上端面４５ａとによってアウト口１７、または連接部材５０に設けた切り欠き５２と板状部材５１とによってアウト口５３を形成したが、板状部材の切り欠きと連接部材の接合部によって形成する通過口はアウト口に限られず、例えば、始動入賞口や通常入賞口などの入賞した遊技球を遊技盤の後側にて回収するように通過させるものなど、適宜のものとして良く、また、これを形成する位置も適宜の位置として良い。
【００３４】
上記実施形態では、遊技領域規制枠１３と連接部材４５，５０は一体として成形されていたが、それぞれ個別の部材であっても良い。この場合、遊技領域規制枠と連接部材をそれぞれ別個に、異機種間における共通部品とすることができ、コストダウンやリサイクル性を高めることができる。
【００３５】
上記実施形態では、連接部材４５，５１の材質を樹脂材としたが、アルミなどの金属材料やカーボン材料などを用いても良い。
【図面の簡単な説明】
【００３６】
【図１】本発明を実施したパチンコ機の外観を示す斜視図である。
【図２】本体基部と遊技盤ユニットとを分解して示す斜視図である。
【図３】板状部材と遊技領域規制枠のパチンコ機における前側からの外観を示す斜視図である。
【図４】板状部材と遊技領域規制枠のパチンコ機における後側からの外観を示す斜視図である。
【図５】板状部材と遊技領域規制枠とが組み合わされた状態を示す概略断面図である。
【図６】図３と形態の異なる、板状部材及び遊技領域規制枠のパチンコ機における前側からの外観を示す斜視図である。
【符号の説明】
【００３７】
２  パチンコ機（弾球遊技機）
４  遊技盤
４ａ  遊技領域
１２，５１  板状部材
１３  遊技領域規制枠
１７，５３  アウト口（通過口）
２０  構造物
３０，５２  切り欠き
４５，５０  連接部材
４５ａ  上端面（接合部）
４５ｂ  誘導路
５１ａ  下端面（接合部）
【図１】
2005081097.tif 000003
【図２】
2005081097.tif 000004
【図３】
2005081097.tif 000005
【図４】
2005081097.tif 000006
【図５】
2005081097.tif 000007
【図６】
2005081097.tif 000008